(57)【要約】【課題】駆動ローラ及び従動ローラ同士の擦れを防止するためのカバー部材を設ける。【解決手段】駆動ロ−ラ１３と従動ローラ２４とで用紙を挟持搬送する用紙搬送装置１０において、従動ローラ２４側は、従動ローラ２４が駆動ローラ１３に接離するように支持され、駆動ローラ側に対して開閉自在な支持部材２２と、従動ローラ軸２５に一方向クラッチ２７を介して従動ローラを一部覆うように取り付けられており、駆動ローラの停止時に駆動ローラに接し、且つ、駆動ローラの逆転動作に伴って一方向クラッチの作用により駆動ローラから離れて支持部材に係止されると共に、駆動ローラの正転動作に伴って従動ローラのみが従動回転して両ロ−ラ対１３，２４で用紙Ｐを搬送するときに支持部材に係止したままの状態を保持されるカバー部材２６と、を備えたことを特徴とする用紙搬送装置１０を提供する。【選択図】図１
2016098057.tif 000002
【特許請求の範囲】
【請求項１】
駆動源と連結されて正逆転可能な駆動ローラ軸に取り付けられた駆動ローラと、前記駆動ローラ軸と間隔を離して対向した従動ローラ軸に取り付けられて前記駆動ローラに従動回転する従動ローラとを対にして、前記駆動ロ−ラと前記従動ローラとで用紙を用紙搬送方向に挟持搬送する用紙搬送装置において、
前記従動ローラ側は、
前記従動ローラが前記駆動ローラに接離するように支持され、前記駆動ローラ側に対して開閉自在な支持部材と、
前記従動ローラ軸に一方向クラッチを介して前記従動ローラを一部覆うように取り付けられており、前記駆動ローラの停止時に該駆動ローラに接し、且つ、前記駆動ローラの逆転動作に伴って前記一方向クラッチの作用により該駆動ローラから離れて前記支持部材に係止されると共に、前記駆動ローラの正転動作に伴って前記従動ローラのみが従動回転して両ロ−ラ対で前記用紙を搬送するときに前記支持部材に係止したままの状態を保持されるカバー部材と、
を備えたことを特徴とする用紙搬送装置。
【請求項２】
前記支持部材は、前記従動ローラの前記従動ローラ軸が前記駆動ローラに向かって自由落下可能に形成された長孔を有することを特徴とする請求項１に記載の用紙搬送装置。
【請求項３】
前記支持部材は、前記従動ローラを用紙搬送方向と直交する方向に沿って複数支持した上で、複数の前記従動ローラが前記駆動ローラに接離するように用紙搬送方向に沿って設けた回動軸を中心にして用紙搬送方向と直交する方向に回動可能に設けられていることを特徴とする請求項１又は請求項２に記載の用紙搬送装置。
【発明の詳細な説明】
【技術分野】
【０００１】
本発明は、駆動ロ−ラと従動ローラとで用紙を用紙搬送方向に挟持搬送する用紙搬送装置に関する。
【背景技術】
【０００２】
一般的に、用紙を搬送する用紙搬送装置は、用紙に画像や文字を印刷する印刷装置や、用紙に画像や文字を複写する複写機などの画像形成装置に適用されている。
【０００３】
この種の用紙搬送装置の例として、用紙搬送路中で用紙ジャムが発生したときに、用紙ジャム解除操作が容易な画像形成装置（例えば、特許文献１参照）がある。
【０００４】
ここで、特許文献１を参照して、従来例１の画像形成装置について、図５を用いて簡略に説明する。
【０００５】
まず、図５に示す如く、特許文献１に開示された従来例１の画像形成装置１１０では、装置筐体１１１の内部に用紙Ｐの搬送をガイドする下側ガイド板１１２と上側ガイド板１１３とが互いに対向して設けられている。
【０００６】
この際、上側ガイド板１１３は、装置筐体１１１のフロント側の先端部に下側ガイド板１１２に対してロックするロック部材１１４が取り付けられ、且つ、後端部側に取り付けたヒンジ部材１１５を介して上下方向に回動可能になっている。
【０００７】
また、下側ガイド板１１２には、複数の駆動ローラ１１６が用紙Ｐの搬送方向（紙面に垂直な方向）と直交する用紙幅方向に沿って所定の間隔を隔てて回転自在に設けられている。
【０００８】
一方、上側ガイド板１１３には、複数の駆動ローラ１１６に接離可能で且つ従動回転する複数のプレスローラ（従動ローラ）１１７が用紙幅方向に沿って設けられている。
【０００９】
そして、用紙Ｐを複数の駆動ローラ１１６と複数のプレスローラ１１７とで挟持搬送しているときに用紙ジャムが生じた場合に、ユーザは装置筐体１１１のフロント側から前面開口部１１１ａに取り付けた開閉カバー１１８を開く。
【００１０】
この後、上側ガイド板１１３に取り付けたロック部材１１４のロックを解除して、上側ガイド板１１３を上方に持ち上げることで、この上側ガイド板１１３が用紙搬送方向（紙面に垂直な方向）と直交する方向に開く。
【００１１】
これにより、ユーザは複数の駆動ローラ１１６と複数のプレスローラ１１７との間に発生したジャム用紙（図示せず）を除去することができる。
【先行技術文献】
【特許文献】
【００１２】
【特許文献１】特開２００９−１３９４３８号公報
【発明の概要】
【発明が解決しようとする課題】
【００１３】
ところで、用紙を複数の駆動ローラと複数の従動ローラとで用紙搬送方向に挟持搬送する際に、複数の従動ローラを複数の駆動ローラと対向するように支持部材を介して用紙搬送方向と直交する用紙幅方向に沿って取り付けたときに、ゴム材を用いた複数の駆動ローラ及び複数の従動ローラの各表面に砂状の微粒子をコーティングして微小な凹凸状の円筒面を形成することで、印刷済みの用紙のインクが両ローラにこびりつかず、用紙に対して接触面積を減らして汚れを目立たなくすることが可能となる。
【００１４】
そこで、複数の駆動ローラ及び複数の従動ローラの各表面を微小な凹凸状の円筒面に形成して改良を施した場合に、先に説明した特許文献１に記載の従来例１の画像形成装置１１０の技術的思想（従動ローラ側を用紙搬送方向と直交する方向に開く）を適用した従来例２について、図６（ａ）〜（ｃ）を用いて説明する。
【００１５】
まず、図６（ａ）に示す如く、従来例２の用紙搬送装置１３０において、用紙Ｐを搬送する状態について説明する。
【００１６】
上記した従来例２の用紙搬送装置１３０内には、駆動ローラ軸１３１が用紙Ｐの搬送方向（紙面に垂直な方向）と直交する用紙幅方向に沿って長尺に形成されており、且つ、駆動ローラ軸１３１の両端部側が不図示の第１固定部材に嵌め込まれた一対の軸受け１３２に軸支されている。
【００１７】
この駆動ローラ軸１３１には、砂状の微粒子をゴム材の表面にコーティングして微小な凹凸状の円筒面を形成した複数の駆動ローラ１３３が用紙幅方向に沿って所定の間隔を隔てて一体的に固着状態で取り付けられている。
【００１８】
また、駆動ローラ軸１３１の一方の端部側で一方の軸受け１３２よりも外側にギア１３４が取り付けられており、このギア１３４にモータＭの先端軸に取り付けたギア１３５が噛合している。
【００１９】
そして、制御部１３６の指令によりモータＭを駆動して駆動ローラ軸１３１を回転させると、この駆動ローラ軸１３１と一体に複数の駆動ローラ１３３が回転駆動されるようになっている。
【００２０】
一方、駆動ローラ軸１３１の上方で装置１３０の内部後方には、回動軸１４１が用紙搬送方向（紙面に垂直な方向）に沿って不図示の第２固定部材に取り付けられており、且つ、この回動軸１４１には用紙幅方向に沿って長尺に形成されたアーム部材１４２の一端部１４２ａ側が用紙搬送方向と直交する方向に回動可能に支持されている。この際、長尺なアーム部材１４２の他端部１４２ｂ側は装置１３０のフロント側に向かって延出されている。
【００２１】
また、長尺なアーム部材１４２の下面には、曲げ形成された複数のローラ支持用ブラケット１４３が複数の駆動ローラ１３３と略同じ間隔で取り付けられている。
【００２２】
そして、複数のローラ支持用ブラケット１４３それぞれには、砂状の微粒子をゴム材の表面にコーティングして微小な凹凸状の円筒面を形成した従動ローラ１４４が、駆動ローラ軸１３１と間隔を離して対向した短尺な従動ローラ軸１４５を介して駆動ローラ１３３と対向するように回転自在に支持されている。
【００２３】
更に、長尺なアーム部材１４２に支持された複数の従動ローラ１４４は、不図示のバネ部材の付勢力と従動側の部材の重量とによって用紙Ｐを介して複数の駆動ローラ１３３に対して押圧可能になっている。
【００２４】
上記の構成により、用紙Ｐを搬送するときには、回動軸１４１に軸支された長尺なアーム部材１４２を駆動ローラ軸１３１と略平行にセットして、このアーム部材１４２を閉じている。
【００２５】
これにより、アーム部材１４２に複数のローラ支持用ブラケット１４３を介して支持した複数の従動ローラ１４４が、用紙Ｐを介して複数の駆動ローラ１３３に当接することで、用紙Ｐを複数の駆動ローラ１３３と複数の従動ローラ１４４とで用紙搬送方向に向かって挟持搬送できるので、用紙Ｐの搬送時に各ローラ１３３，１４４の微小な凹凸状の円筒面により用紙Ｐの汚れを防止できる。
【００２６】
そして、用紙Ｐの搬送時に、複数の駆動ローラ１３３と複数の従動ローラ１４４との間で用紙ジャムが発生したことを制御部１３６が検出したときに、駆動ローラ１３３の回転を停止してアラームを出してユーザに知らせている。
【００２７】
この後、ユーザは装置１３０のフロント側から長尺なアーム部材１４２ｂ部側を上方に持ち上げて、このアーム部材１４２を回動軸１４１を中心にして用紙搬送方向と直交する上方向に開くと、ジャム用紙（図示せず）を容易に取り除くことができる。
【００２８】
更に、ジャム用紙を取り除いた後、図６（ｂ）に示す如く、ユーザは開いているアーム部材１４２を下方に向けて回動させて閉じると、アーム部材１４２に支持した複数の従動ローラ１４４が回転停止中の複数の駆動ローラ１３３に向かって下降する。
【００２９】
そして、図６（ｃ）に示す如く、駆動ローラ１３３が停止しているときに、閉じ方向の従動ローラ１４４側を駆動ローラ１３３側に接触させる場合に、アーム部材１４２に支持した複数の従動ローラ１４４のうちで回動軸１４１に近い従動ローラ１４４から回動軸１４１に遠い従動ローラ１４４の順に複数の駆動ローラ１３３に接触する。
【００３０】
この際、各従動ローラ１４４は、回転停止中の各駆動ローラ１３３に斜め当接しながら徐々に平行な姿勢となるように接触するために、各駆動ローラ１３３の円筒面と各従動ローラ１４４の円筒面とが砂状の微小な凹凸形状により滑らないので擦れてしまい、両ローラ１３３，１４４の微小な凹凸形状の円筒面同士が潰れてしまうなどの新たな問題が生じる。
【００３１】
そこで、砂状の微粒子をゴム材の表面にコーティングして微小な凹凸状の円筒面を形成した駆動ローラ及び従動ローラを有して用紙搬送装置を新たに開発するにあたって、駆動ローラ及び従動ローラ同士の擦れを防止できる用紙搬送装置を提供することを目的とする。
【課題を解決するための手段】
【００３２】
本発明は上記課題に鑑みてなされたものであり、第１の発明は、駆動源と連結されて正逆転可能な駆動ローラ軸に取り付けられた駆動ローラと、前記駆動ローラ軸と間隔を離して対向した従動ローラ軸に取り付けられて前記駆動ローラに従動回転する従動ローラとを対にして、前記駆動ロ−ラと前記従動ローラとで用紙を用紙搬送方向に挟持搬送する用紙搬送装置において、
前記従動ローラ側は、
前記従動ローラが前記駆動ローラに接離するように支持され、前記駆動ローラ側に対して開閉自在な支持部材と、
前記従動ローラ軸に一方向クラッチを介して前記従動ローラを一部覆うように取り付けられており、前記駆動ローラの停止時に該駆動ローラに接し、且つ、前記駆動ローラの逆転動作に伴って前記一方向クラッチの作用により該駆動ローラから離れて前記支持部材に係止されると共に、前記駆動ローラの正転動作に伴って前記従動ローラのみが従動回転して両ロ−ラ対で前記用紙を搬送するときに前記支持部材に係止したままの状態を保持されるカバー部材と、
を備えたことを特徴とする用紙搬送装置である。
【００３３】
また、第２の発明は、上記した第１の発明の用紙搬送装置において、
前記支持部材は、前記従動ローラの前記従動ローラ軸が前記駆動ローラに向かって自由落下可能に形成された長孔を有することを特徴とする用紙搬送装置である。
【００３４】
また、第３の発明は、上記した第１又は第２の発明の用紙搬送装置において、
前記支持部材は、前記従動ローラを用紙搬送方向と直交する方向に沿って複数支持した上で、複数の前記従動ローラが前記駆動ローラに接離するように用紙搬送方向に沿って設けた回動軸を中心にして用紙搬送方向と直交する方向に回動可能に設けられていることを特徴とする用紙搬送装置である。
【発明の効果】
【００３５】
第１の発明の用紙搬送装置によると、駆動ローラと従動ローラとで用紙を用紙搬送方向に挟持搬送する際、従動ローラ側は、従動ローラが駆動ローラに接離するように支持され、駆動ローラ側に対して開閉自在な支持部材と、従動ローラ軸に一方向クラッチを介して従動ローラを一部覆うように取り付けられており、駆動ローラの停止時に駆動ローラに接し、且つ、駆動ローラの逆転動作に伴って一方向クラッチの作用により駆動ローラから離れて支持部材に係止されると共に、駆動ローラの正転動作に伴って従動ローラのみが従動回転して両ロ−ラ対で用紙を搬送するときに支持部材に係止したままの状態を保持されるカバー部材とを備えている。
【００３６】
この結果、例えば、駆動ローラ及び従動ローラの各表面を、砂状の微粒子をゴム材の表面にコーティングして微小な凹凸状の円筒面に形成した場合に、駆動ローラが回転停止しているときにカバー部材を駆動ローラに接触させることができるので、駆動ローラと従動ローラとが擦れ合うことがなく、両ローラを傷つけることがなくなる。
【００３７】
また、用紙の搬送時に、カバー部材を一方向クラッチの作用により従動ローラ軸を中心にして駆動ローラから離間させて退避するように回動させる場合に、カバー部材を駆動ローラの逆転時の回転駆動力で回動させることができるために、カバー部材を回動させるカバー部材回動機構が必要ないので、用紙搬送装置の構造が簡単となり、安価に提供できる。
【００３８】
更に、駆動ロ−ラと従動ローラとで用紙を用紙搬送方向に挟持搬送するときに、カバー部材は支持部材に係止したままの状態を保持されているので、用紙を確実に搬送できるために、用紙の搬送に対して信頼性が高い用紙搬送装置を提供できる。
【００３９】
また、第２の発明の用紙搬送装置によると、支持部材は、従動ローラの従動ローラ軸が駆動ローラに向かって自由落下可能に長孔が形成されているので、カバー部材が支持部材に係止されているときに、従動ローラを長孔に沿って自由落下させることで駆動ローラに当接できる。
【００４０】
また、第３の発明の用紙搬送装置によると、駆動ロ−ラと従動ローラとで用紙を用紙搬送方向に挟持搬送したとき用紙ジャムが発生した場合に、複数の従動ローラが駆動ロ−ラから離間するよう支持部材を用紙搬送方向と直交する方向に回動して開くことで、ジャム用紙を容易に取り出すことができる。
【図面の簡単な説明】
【００４１】
【図１】本発明に係る用紙搬送装置を示した斜視図である。
【図２】本発明に係る用紙搬送装置を示した側面図である。
【図３】（ａ）〜（ｆ）は本発明に係る用紙搬送装置において、従動ローラ側に設けたカバー部材が駆動ローラに接離する動作を模式的に示した動作図である。
【図４】（ａ）〜（ｃ）は本発明に係る用紙搬送装置の動作を説明するための動作図である。
【図５】従来例１の画像形成装置を示した縦断面図である。
【図６】（ａ）〜（ｃ）は従来例２の用紙搬送装置を動作順に示した動作図である。
【発明を実施するための形態】
【００４２】
以下に本発明に係る用紙搬送装置の一実施形態について、図１〜図４を参照して詳細に説明する。
【００４３】
図１は本発明に係る用紙搬送装置を斜視的に示している。また、図２は本発明に係る用紙搬送装置を側面側から見て示している。
【００４４】
図１及び図２に示した本発明に係る用紙搬送装置１０は、この装置１０の初期状態を図示している。
【００４５】
上記した本発明に係る用紙搬送装置１０は、用紙Ｐ（図２のみ図示）に画像や文字を印刷する印刷装置や、用紙Ｐに画像や文字を複写する複写機などの画像形成装置（図示せず）に適用されており、この画像形成装置内で用紙を搬送する用紙搬送路に沿ってユニット化して設置されている。
【００４６】
上記した本発明に係る用紙搬送装置１０では、この装置１０の内部に駆動ローラ軸１１が用紙搬送方向と直交する用紙幅方向に沿って長尺に形成されており、且つ、駆動ローラ軸１１の両端部１１ａ，１１ｂ（１１ｂは図２のみ図示）側が不図示の第１固定部材に嵌め込まれた一対の軸受け１２に回転自在に支持されている。
【００４７】
この駆動ローラ軸１１には、砂状の微粒子をゴム材の表面にコーティングして微小な凹凸状の円筒面の円筒面１３ａを形成した複数の駆動ローラ１３が用紙幅方向に沿って所定の間隔を隔てて一体的に固着状態で取り付けられている。
【００４８】
また、駆動ローラ軸１１の一方の端部１１ａ側で一方の軸受け１２よりも外側にギア１４が取り付けられており、このギア１４に正逆転可能なモータＭの先端軸に取り付けたギア１５が噛合している。
【００４９】
そして、制御部１６の指令によりモータＭを正転又は逆転して駆動ローラ軸１１を回転させると、この駆動ローラ軸１１と一体に複数の駆動ローラ１３が回転駆動されるようになっている。
【００５０】
尚、この実施形態では、長尺な駆動ローラ軸１１に複数の駆動ローラ１３を用紙幅方向に沿って固着状態で取り付けているが、これに限定されることなく、長尺な駆動ローラ軸１１に用紙幅方向に沿って長尺に形成した一つの駆動ローラ（図示せず）を固着状態で取り付けても良い。
【００５１】
一方、駆動ローラ軸１１の上方で装置１０の内部後方には、回動軸２１が用紙搬送方向に沿って不図示の第２固定部材に設けられている。この回動軸２１には、用紙幅方向に沿って長尺に形成されたアーム部材２２がこの一端部２２ａ側に設けた一対の軸支持部２２ａ１を介して用紙搬送方向と直交する方向に回動可能に支持されている。
【００５２】
この際、長尺なアーム部材２２の他端部２２ｂ（図２のみ図示）側は、装置１０のフロント側に向かって延出されており、ユーザが装置１０のフロント側からアーム部材２２の他端部２２ｂ側を把持しながらこのアーム部材２２を初期状態から上方に向けて回動することができるようになっている。
【００５３】
また、長尺なアーム部材２２の下面２２ｃには、曲げ形成された複数のローラ支持用ブラケット２３が複数の駆動ローラ１３と略同じ間隔で取り付けられている。
【００５４】
上記したローラ支持用ブラケット２３それぞれは、コ字状に曲げ形成されて天板部２３ａがアーム部材２２の下面２２ｃに取り付けられ、且つ、天板部２３ａの用紙幅方向の両端部から側板部２３ｂ，２３ｃが互い間隔を隔てて対向して駆動ローラ１３側に向かって垂下されている。
【００５５】
また、各ローラ支持用ブラケット２３の側板部２３ｂ，２３ｃの奥行方向の中心部位には、長孔２３ｂ1，２３ｃ1がそれぞれ垂直に形成されており、これらの長孔２３ｂ１，２３ｃ１内に後述する従動ローラ２４を取り付けた短尺な従動ローラ軸２５が遊嵌されている。
【００５６】
そして、各ローラ支持用ブラケット２３の側板部２３ｂ，２３ｃ間には、砂状の微粒子をゴム材の表面にコーティングして微小な凹凸状の円筒面２４ａを形成した従動ローラ２４が、駆動ローラ軸１１と間隔を離して対向した短尺な従動ローラ軸２５を介して駆動ローラ１３と対向するように回転自在に支持されている。
【００５７】
尚、複数の駆動ローラ１３及び複数の従動ローラ２４の各表面にコーティングする砂状の微粒子は、樹脂ビーズや、セラミック微粒子や、ガラス質微粒子などが用いられている。
【００５８】
上記したように、複数の駆動ローラ１３及び複数の従動ローラ２４の各表面を微小な凹凸状の円筒面１３ａ及び円筒面２４ａに形成することで、印刷済みの用紙Ｐのインクが両ローラ１３，２４の各円筒面１３ａ，２４ａにこびりつかず、用紙Ｐに対して接触面積を減らして汚れを目立たなくすることが可能となる。
【００５９】
また、各従動ローラ２４の円筒面２４ａの一部を覆うと共に各駆動ローラ１３の円筒面１３ａに接離するカバー部材２６が、各ローラ支持用ブラケット２３の側板部２３ｂ，２３ｃ間で且つ従動ローラ２４の両側面を挟んで後述する一対の一方向クラッチ２７を介して従動ローラ軸２５に回動可能に支持されている。
【００６０】
上記したカバー部材２６は、本発明の要部を構成する部材であり、駆動ローラ１３の円筒面１３ａに傷をつけないように摩擦係数が小さく且つ平滑性を有する樹脂材を用いて形成されている。
【００６１】
このカバー部材２６は、間隔を離して互いに対向する扇型状側板部２６ａ，２６ｂが垂直に形成され、且つ、扇型状側板部２６ａ，２６ｂの下端側が略５０°〜６０°の範囲で扇型円弧状に形成されていると共に、扇型状側板部２６ａ，２６ｂ間の下端側に駆動ローラ当接部２６ｃが駆動ローラ１３の円筒面１３ａと対向するように外面が平滑で円弧状に一体的に形成されている。
【００６２】
この際、カバー部材２６に形成した円弧状の駆動ローラ当接部２６ｃの内面の半径は、従動ローラ２４の半径よりも大径に形成されているので、従動ローラ２４は駆動ローラ当接部２６ｃに接触することはない。
【００６３】
また、カバー部材２６の扇型状側板部２６ａ，２６ｂには、従動ローラ軸２５を介して一対の一方向クラッチ２７が嵌め込まれている。
【００６４】
この際、後述の動作で説明するように、一対の一方向クラッチ２７は、正逆転可能なモータＭを介して駆動ローラ１３を用紙Ｐを搬送しない方向に逆転させたときに、カバー部材２６のみが従動ローラ軸２５を中心にして反時計方向に回動する機能を有している。一方、駆動ローラ１３を用紙Ｐを搬送する方向に正転させたときに、この駆動ローラ１３に従動ローラ２４が従動回転し、且つ、カバー部材２６は回動しない機能を有している。
【００６５】
このように、従動ローラ軸２５に対して一対の一方向クラッチ２７の嵌め込め方向を設定することで、一対の一方向クラッチ２７の作用によりカバー部材２６が駆動ローラ１３の回転駆動力を利用して従動ローラ軸２５を中心にして所定の角度に亘って回動可能になっている。
【００６６】
また、カバー部材２６の扇型状側板部２６ａ，２６ｂの図示裏側には、ストッパ部２６ｄ，２６ｅ（２６ｄは図２,図３に図示）が薄い厚みを持って突出形成されており、これらのストッパ部２６ｄ，２６ｅは樹脂材により弾性変位可能になっている。
【００６７】
尚、この実施形態では、カバー部材２６に形成したストッパ部２６ｄ，２６ｅは、左方の扇型状側板部２６ａ側と右方の扇型状側板部２６ｂ側とにそれぞれ分かれているが、これに代えて一つのストッパ部（図示せず）を扇型状側板部２６ａ，２６ｂ間で連結させて弾性変位可能に形成しても良い。
【００６８】
そして、後述の動作で説明するように、重力方向に垂下しているカバー部材２６が上方に向かって回動したときに、このカバー部材２６のストッパ部２６ｄ，２６ｅがローラ支持用ブラケット２３の側板部２３ｂ，２３ｃの各内面上方部位に取り付けた一対のストッパピン２８に係止されて回動が規制されることで、カバー部材２６の駆動ローラ当接部２６ｃが駆動ローラ１３の円筒面１３ａから退避できるようになっている。
【００６９】
従って、従動ローラ２４と、カバー部材２６と、一対の一方向クラッチ２７とを取り付けた従動ローラ軸２５は、ローラ支持用ブラケット２３の側板部２３ｂ，２３ｃに形成した長孔２３ｂ１，２３ｃ１内で自重により自由落下可能になっている。
【００７０】
次に、上記したカバー部材２６の動作について、図３（ａ）〜（ｆ）を用いて説明する。
【００７１】
図３（ａ）〜（ｆ）は従動ローラ側に設けたカバー部材が駆動ローラに接離する動作を模式的に示した動作図である。
【００７２】
尚、図３（ａ）〜（ｆ）では、ローラ支持用ブラケット２３の右方の側板部２３ｃを取り除いて左方の側板部２３ｂに向かって見た状態を図示している。
【００７３】
まず、図３（ａ）は、装置１０（図１，図２）の初期状態を示している。この初期状態では、制御部１６の指令によって駆動ローラ１３を回転駆動する正逆転可能なモータＭが停止しているので、このモータＭによって回転駆動する駆動ローラ軸１１に固着状態で取り付けた駆動ローラ１３も停止している。
【００７４】
また、初期状態では、カバー部材２６の扇型状側板部２６ｂに嵌め込まれた一方向クラッチ２７に従動ローラ軸２５を介してカバー部材２６が回動可能に取り付けられているが、このカバー部材２６の駆動ローラ当接部２６ｃが自重によって下方に垂れさがって回転停止中の駆動ローラ１３の円筒面１３ａに当接しているので、カバー部材２６は回動せず、且つ、カバー部材２６によって一部を覆われた従動ローラ２４は駆動ローラ１３から離間している。
【００７５】
この際、カバー部材２６が駆動ローラ１３に当接しているために、従動ローラ軸２５は、ローラ支持用ブラケット２３の側板部２３ｂに垂直方向に形成した長孔２３ｂ１のうちで長手方向の略中間位置に位置している。
【００７６】
従って、駆動ローラ１３及び従動ローラ２４の各表面を、砂状の微粒子をコーティングして微小な凹凸状の円筒面１３ａ及び円筒面２４ａに形成した場合に、駆動ローラ１３が回転停止しているときにカバー部材２６を駆動ローラ１３に接触させることができるので、駆動ローラ１３と従動ローラ２６とが擦れ合うことがなく、両ローラ１３，２４を傷つけることがなくなる。
【００７７】
次に、図３（ｂ）は、駆動ローラ１３を時計方向に逆転させてカバー部材２６を退避方向に回動させる状態を示している。ここで、制御部１６を介してモータＭを時計方向に逆転させると、駆動ローラ軸１１と一体となって駆動ローラ１３も用紙Ｐを搬送しない方向となる時計方向に逆転する。
【００７８】
この駆動ローラ１３の逆転動作に伴って、一方向クラッチ２７の作用により、駆動ローラ１３の円筒面１３ａに駆動ローラ当接部２６が当接しているカバー部材２６のみが従動ローラ軸２５を中心にして反時計方向に回動する。
【００７９】
この際、従動ローラ２４は、駆動ローラ１３から離間しているので回転せず、且つ、従動ローラ軸２５はローラ支持用ブラケット２３に形成した長孔２３ｂ１のうちで長手方向の略中間位置に位置している。
【００８０】
従って、カバー部材２６を一方向クラッチ２７の作用により従動ローラ軸２５を中心にして駆動ローラ１３から退避するように回動させる場合に、カバー部材２６を駆動ローラ１３の逆転時の回転駆動力で回動させることができるために、カバー部材２６を回動させるカバー部材回動機構が必要ないので、用紙搬送装置１０の構造が簡単となり、安価に提供できる。
【００８１】
次に、図３（ｃ）は、駆動ローラ１３の逆転時の回転駆動力によりカバー部材２６を退避位置に係止させる状態を示している。ここでは、駆動ローラ１３が時計方向に逆転している最中に、反時計方向に回動しているカバー部材２６の駆動ローラ当接部２６ｃが駆動ローラ１３の円筒面１３ａから離間する。
【００８２】
これに伴って、従動ローラ２４を取り付けた従動ローラ軸２５は、重力によりローラ支持用ブラケット２３に形成した長孔２３ｂ１内の下方に向かって自由落下するために、従動ローラ２４の円筒面２４ａが駆動ローラ１３の円筒面１３ａに当接する。
【００８３】
これにより、時計方向に逆転中の駆動ローラ１３に従動ローラ２４が反時計方向に従動回転するので、一方向クラッチ２７の作用により、カバー部材２６の駆動ローラ当接部２６ｃが従動ローラ２４と一体となって更に反時計方向に回動する。
【００８４】
この後、カバー部材２６に弾性変位可能に形成したストッパ部２６ｄが、ローラ支持用ブラケット２３の側板部２３ｂの上方部位に取り付けたストッパピン２８を乗り越えてこのストッパピン２８に係止されるので、カバー部材２６の駆動ローラ当接部２６ｃは用紙Ｐの搬送に対して支障のない退避位置に退避する。そして、カバー部材２６が係止された時点で制御部１６を介してモータＭの逆転を停止させる。
【００８５】
尚、カバー部材２６がストッパピン２８に係止される時点までモータＭを逆転して停止させるタイミングは、制御部１６のＲＡＭ内にモータＭの逆転時間を予め設定しておくか、もしくは、カバー部材２６が係止された位置を不図示の光センサなどにより検出すれば良い。
【００８６】
次に、図３（ｄ）は、駆動ローラ１３を反時計方向に正転させて用紙Ｐを搬送する状態を示している。ここで、制御部１６を介してモータＭを反時計方向に正転させると、駆動ローラ１３も用紙Ｐを搬送できる方向となる反時計方向に正転する。この駆動ローラ１３の正転動作に伴って、この駆動ローラ１３に用紙Ｐを介して接している従動ローラ２４が時計方向に従動回転するので、用紙Ｐを駆動ローラ１３と従動ローラ２４とで確実に挟持搬送できる。このとき、従動ローラ２４が時計方向に回転しても、一方向クラッチ２７の作用によりカバー部材２６は回動せずに係止したままの状態に保持される。
【００８７】
次に、図３（ｅ）は、駆動ローラ１３と従動ローラ２４との間でジャム用紙ＪＰが発生した状態を示している。ここで、駆動ローラ１３と従動ローラ２４との間でジャム用紙ＪＰが発生した場合に、制御部１６はジャム用紙ＪＰの発生を不図示のセンサにより検出してモータＭの回転を直ちに停止させてアラームを出してユーザに知らせている。
【００８８】
この後、ユーザは従動ローラ２４をローラ支持用ブラケット２３を介して支持したアーム部材２２（図１，図２）を上方に向けて回動を始めると、従動ローラ２４を取り付けた従動ローラ軸２５は、重力によりローラ支持用ブラケット２３に形成した長孔２３ｂ１内の最下端まで自由落下する。
【００８９】
これに伴って、従動ローラ軸２５に一方向クラッチ２７を介して取り付けたカバー部材２６も従動ローラ軸２５と一体に下降するので、このカバー部材２６のストッパ部２６ｄがストッパピン２８から離れて係止を解除される。
【００９０】
次に、図３（ｆ）は、従動ローラ２４側を上方に移動させてジャム用紙ＪＰを除去する状態を示している。ここでは、図３（ｅ）に示した状態からユーザが従動ローラ２４をローラ支持用ブラケット２３を介して支持したアーム部材２２（図１，図２）を更に上方に向けて回動させる。
【００９１】
このときも、従動ローラ２４を取り付けた従動ローラ軸２５は、重力によりローラ支持用ブラケット２３に形成した長孔２３ｂ１内の最下端まで自由落下していると共に、係止を解除されたカバー部材２６の駆動ローラ当接部２６ｃは重力により下方に垂れさがって駆動ローラ１３に対して間隔を離して対向する。これにより、ジャム用紙ＪＰを人手Ｈで把持しながら容易に取り出すことができる。
【００９２】
次に、本発明に係る用紙搬送装置１０の動作ついて、図４（ａ）〜（ｃ）を用いて説明する。
【００９３】
まず、図４（ａ）は用紙Ｐを搬送する状態を示している。ここでは、装置１０内で用紙Ｐを搬送するときに、回動軸２１に軸支された長尺なアーム部材２２を駆動ローラ軸１１と略平行にセットして、このアーム部材２２を閉じている。
【００９４】
これにより、複数のローラ支持用ブラケット２３を介して支持した複数の従動ローラ２４が、用紙Ｐを介して複数の駆動ローラ１３に当接している。そして、制御部１６を介してモータＭを正転させて、複数の駆動ローラ１３を図３（ｄ）に示したように反時計方向に回転させている。
【００９５】
この際、アーム部材２２に複数のローラ支持用ブラケット２３を介して取り付けられた複数の従動ローラ２４は、不図示のバネの付勢力と従動側の部材の重量とにより用紙Ｐを介して複数の駆動ローラ１３に向かって押圧している。
【００９６】
また、各従動ローラ２４の一部を覆う各カバー部材２６は図３（ｄ）で説明したように用紙Ｐの搬送に支障のない退避位置に退避している。
【００９７】
従って、複数の駆動ローラ１３と複数の従動ローラ２４とで用紙Ｐを確実に挟持搬送でき、且つ、用紙Ｐの搬送時に各ローラ１３，２４の微小な凹凸状の表面により用紙Ｐの汚れを防止できるので、用紙Ｐの搬送に対して信頼性が高い用紙搬送装置１０を提供できる。
【００９８】
次に、図４（ｂ）はジャム用紙ＪＰを除去する状態を示している。ここでは、複数の駆動ローラ１３と複数の従動ローラ２４との間でジャム用紙ＪＰが発生したことを制御部１６が検出したときに、駆動ローラ１３３の回転を停止してアラームを出してユーザに知らせている。
【００９９】
この後、ユーザは装置１０のフロント側からアーム部材２２を回動軸２１を中心して用紙搬送方向（紙面に垂直とな方向）と直交する上方向に開く。
【０１００】
これにより、アーム部材２２に複数のローラ支持用ブラケット２３を介して支持した複数の従動ローラ２４は複数の駆動ローラ１３から離間するので、ジャム用紙Ｐを装置１０のフロント側から人手Ｈにより確実に除去できる。
【０１０１】
この際、各従動ローラ軸２５に一対の一方向クラッチ２７を介して取り付けた各カバー部材２６は図３（ｆ）で示したように重力により各駆動ローラ１３に向かって垂れさがっても各カバー部材２６と各駆動ローラ１３との間に隙間が十分形成されているので、ジャム用紙ＪＰの除去に対して何等の支障も生じない。
【０１０２】
次に、図４（ｃ）は駆動ローラ１３が回転を停止しているときに、従動ローラ２４側を図３（ａ）に示した初期状態に戻す場合を示している。ここでは、ユーザがジャム用紙ＪＰを除去した後に、装置１０のフロント側からアーム部材２２を回動軸２１を中心して用紙搬送方向と直交する下方向に回動させている。
【０１０３】
ここでも、図４（ｂ）と同様に、各カバー部材２６は図３（ｆ）で示したように重力により各駆動ローラ１３に向かって垂れさがっている。
【０１０４】
そして、アーム部材２２を閉じると、複数のカバー部材２６のうちで回動軸２１に近いカバー部材２６から回動軸２１に遠いカバー部材２６の順に各カバー部材２６の駆動ローラ当接部２６ｃが回転停止中の各駆動ローラ１３に接触する。
【０１０５】
この際、各カバー部材２６の駆動ローラ当接部２６ｃは樹脂材により平滑に形成されているので、各カバー部材２６の駆動ローラ当接部２６ｃと回転停止中の各駆動ローラ１３の円筒面１３ａとの間で擦れが生じることがなく、各駆動ローラ１３の円筒面１３ａの微小な凹凸形状が潰れないために、各駆動ローラ１３の円筒面１３ａ傷つけることがなくなる。
【０１０６】
勿論、各カバー部材２６によってカバーされている各従動ローラ２４の円筒面２４ａは各駆動ローラ１３の円筒面１３ａに接触しないので何等の支障も生じない。
【０１０７】
従って、アーム部材２２に支持した複数の従動ローラ２４をそれぞれカバー部材２６で一部覆いながら、複数のカバー部材２６を複数の駆動ローラ１３側に接離するようにアーム部材２２を回動させる場合でも、複数の駆動ローラ１３及び複数の従動ローラ２４は傷つかず、且つ、インク汚れなく、用紙Ｐを確実に挟持搬送できるので、本発明に係る用紙搬送装置１０に対して品質及び信頼性を向上させることができる。
【符号の説明】
【０１０８】
１０…用紙搬送装置、
１１…駆動ローラ軸、１３…駆動ローラ、１３ａ…円筒面、
１６…制御部、２１…回動軸、２２…アーム部材、２２ａ１…一対の軸支持部、
２３…ローラ支持用ブラケット、２３ｂ，２３ｃ…側板部、
２３ｂ１，２３ｃ１…長孔、
２４…従動ローラ、２４ａ…円筒面、２５…従動ローラ軸、
２６…カバー部材、２６ａ，２６ｂ…扇型状側板部、２６ｃ…駆動ローラ当接部、
２６ｄ，２６ｅ…ストッパ部、２７…一対の一方向クラッチ、２８…ストッパピン、
Ｐ…用紙、JＰ…ジャム用紙。
【図１】
2016098057.tif 000003
【図２】
2016098057.tif 000004
【図３】
2016098057.tif 000005
【図４】
2016098057.tif 000006
【図５】
2016098057.tif 000007
【図６】
2016098057.tif 000008